(57)【特許請求の範囲】
【請求項１】
互いに逆方向へ回転駆動され、石膏ボードを引き込みつつ石膏を圧砕して厚紙と分離する１対の平行なロールと、この１対の平行なロールの引き出し側に、分離された厚紙を各ロールに押し付けつつ厚紙に付着した石膏屑を削ぎ落とすスクレーパとを備えることを特徴とする石膏ボードからの石膏回収装置。
【請求項２】
前記１対の平行なロールが、間隔調整可能であることを特徴とする請求項１記載の石膏ボードからの石膏回収装置。
【請求項３】
前記１対の平行なロールの引き出し側に、先端部を石膏の圧砕点に可及的に接近させて配置され、分離された厚紙をその表面と摺接しつつ石膏ボードの移動方向と同方向へ案内する厚紙ガイドを備えることを特徴とする請求項１又は２記載の石膏ボードからの石膏回収装置。
【請求項４】
前記１対の平行なロールが、直径１００〜２００ｍｍであることを特徴とする請求項３記載の石膏ボードからの石膏回収装置。
【発明の詳細な説明】
【０００１】
【発明の属する技術分野】
本発明は、天井、壁張り等に使用される石膏ボードの端材や廃材から石膏を回収する装置に関する。
【０００２】
【従来の技術】
従来、焼石膏に鋸屑やパーライト等の軽量材を約１０％混入し、両面に厚紙（不燃紙も含む）を張って成板してなる石膏ボード（少なくとも片面の厚紙の上に更に壁紙を張ったものも含む）の端材や廃材は、建築又は解体工事に伴って多量に発生するが、再生利用されることなく最終処分場に埋め立て処理されており、石膏ボードの端材又は廃材からの石膏の回収は、行われていない。
【０００３】
【発明が解決しようとする課題】
しかしながら、昨今の最終処分場の用地確保の困難性や資源の有効利用等の観点から、石膏ボードの端材又は廃材から石膏を回収することが望まれている。
そこで、本発明は、石膏ボードの端材又は廃材から石膏を容易かつ効果的に回収し得る石膏ボードからの石膏回収装置を提供することを目的とする。
【０００４】
【課題を解決するための手段】
前記課題を解決するため、本発明の第１の石膏ボードからの石膏回収装置は、互いに逆方向へ回転駆動され、石膏ボードを引き込みつつ石膏を圧砕して厚紙と分離する１対の平行なロールと、この１対の平行なロールの引き出し側に、分離された厚紙を各ロールに押し付けつつ厚紙に付着した石膏屑を削ぎ落とすスクレーパとを備えることを特徴とする。
前記１対の平行なロールは、間隔調整可能であることが好ましい。
又、第２の石膏ボードからの石膏回収装置は、第１の装置において、前記１対の平行なロールの引き出し側に、先端部を石膏の圧砕点に可及的に接近させて配置され、分離された厚紙をその表面と摺接しつつ石膏ボードの移動方向と同方向へ案内する厚紙ガイドを備えることを特徴とする。
前記１対の平行なロールは、直径１００〜２００ｍｍであることが好ましい。
【０００５】
石膏を圧砕する圧力は、３ｔｏｎ／ｃｍ2 程度が望ましい。
１対の平行なロールの間隔は、石膏ボードの厚み（例えば、９．５ｍｍ、１２ｍｍ、１５ｍｍ）より狭い間隔（例えば厚みより３ｍｍ程度小さい）とされる。  又、１対の平行なロールの直径が、１００ｍｍ未満であると、ロールの撓みを生じる。一方、２００ｍｍを超えると、厚紙ガイドの先端部を石膏の圧砕点へ接近させることが困難となる。
【０００６】
【発明の実施の形態】
以下、本発明の実施の形態について図面を参照して説明する。
図１、図２は本発明に係る石膏ボードからの石膏回収装置の実施の形態の一例を示す側面図、平面図である。
図中１は直方体状の機枠で、この機枠１の一端（図においては右端）側の上部両側には、硬質ゴム等からなる複数対（図においては３対）の送りロール２が垂直に枢支されており、各送りロール２の軸３の下端には、スプロケット４がそれぞれ取り付けられている。
両側で対をなす送りロール２は、石膏ボードの端材又は廃材Ｗを後述するロールに送給するもので、その間隔は、石膏ボードの端材又は廃材Ｗの厚みより僅かに小さく設けられている。
又、機枠１の他端（図１においては左端）側の上部両側には、ステンレス鋼等の金属からなる１対のロール５が、石膏ボードの端材又は廃材Ｗの厚みより狭い（厚みより３ｍｍ程度小さい）間隔で垂直に枢支されており、両ロール５の軸６の下端には、スプロケット７がそれぞれ取り付けられている。
更に、機枠１の下部両側には、上記スプロケット４，７と高さを合わせてスプロケット８を出力軸９に取り付けたモータ１０がそれぞれ装着されており、両側の各送りロール２のスプロケット４、モータ１０のスプロケット８及びロール５のスプロケット７には、それぞれループ状のチェーン１１が掛け回わされており、モータ１０の互いに逆方向への駆動により、両側の各送りロール２とロール５が互いに逆方向へ同期して回転駆動するように設けられている。
更に又、機枠１の他端の上部両側には、後述するように分離された厚紙をそれぞれのロール５に押し付けつつ厚紙に付着した石膏屑を削ぎ落とすスクレーパ１２がそれぞれ取り付けられている。
図において１３はボードガイドで、複数対の送りロール２によって送給される石膏ボードの端材又は廃材Ｗを１対のロール５間に案内するためのものである。
【０００７】
上記構成の石膏ボードからの石膏回収装置において、石膏ボードの端材又は廃材Ｗから石膏Ｗ1 を回収するには、先ず、両側のモータ１０を互いに逆方向へ同期して駆動させ、両側の各送りロール２及びロール５を互いに逆方向へ回転駆動する。
次に、機枠１の，一端側から石膏ボードの端材又は廃材Ｗを両側の送りロール２間に差し込む。
この差し込みによって、石膏ボードの端材又は廃材Ｗは、両側の各送りロール２により、両側のボードガイド１３を経て両側のロール５間へ送給され、両側のロール５の引き込みながらの加圧によって石膏Ｗ1 が圧砕されて落下すると共に、両面の厚紙Ｗ2 と分離される。
上記石膏ボードの端材又は廃材Ｗの差し込みに際し、その差し込み方向、すなわち、石膏ボードの端材又は廃材Ｗの移動方向を、石膏ボード製造時における石膏Ｗ1 に対する厚紙Ｗ2 の貼付方向と同方向とする。このようにすることにより、貼付方向と直角方向へ移動する場合に比べ、理由は詳らかでないが石膏Ｗ1 からの厚紙Ｗ2 の剥離が容易になる。
なお、石膏Ｗ1 に対する厚紙Ｗ2 の貼付方向の識別を容易にするため、石膏ボードの製造時に、裏面となる厚紙Ｗ2 に矢印等を印刷しておくことが望ましい。  又、分離された各厚紙Ｗ2 は、両側のスクレーパ１２によってそれぞれのロール５に押し付けられると共に、それに付着した石膏屑（図示せず）が削ぎ落とされる。
【０００８】
図３は本発明に係る石膏ボードからの石膏回収装置の実施の形態の他の例を示す要部の平面図である。
この石膏回収装置は、上述した実施の形態のものが、分離された厚紙Ｗ2 に付着した石膏屑を削ぎ落とすために、スクレーパ１２を備えているのに対し、１対の平行なロール５の引き出し側（図３においては左側）に、機枠１に取り付けられ、分離された厚紙Ｗ2 をその表面と摺接しつつ石膏ボードの端材又は廃材Ｗの移動方向（図３において白抜き矢印で示す方向）と同方向へ案内する厚紙ガイド１４を、そのナイフ状の先端部１４ａを石膏Ｗ1 の圧砕点に可及的に接近させて配置したものである。
他の構成は、前述した実施の形態のものとほぼ同様であるので、同一の構成部材等には同一の符号を付してその説明を省略する。
【０００９】
上記構成の石膏ボードからの石膏回収装置においては、石膏Ｗ1 ′を付着させた状態で各ロール５の外周面に沿うように湾曲しようとする分離後の各厚紙Ｗ2 が、厚紙ガイド１４によって石膏ボードの端材又は廃材Ｗの移動方向と同方向へ強制的に案内されることにより、付着している石膏屑Ｗ1 の大部分が厚紙から脱離し、石膏回収率を９５％程度とすることができる。
この石膏回収装置は、石膏ボードの端材又は廃材Ｗが多少の湿気等を有している場合であっても支障なく行える。
又、ロール５の直径は、その撓み、厚紙ガイド１４の圧砕点へ可及的な接近を考慮すると、１００〜２００ｍｍ程度が好ましい。
【００１０】
なお、上述した両実施の形態においては、両側の各送りロール２及びロール５等の間隔を一定にする場合について説明したが、これに限定されるものではなく、石膏ボードの端材又は廃材Ｗの厚みの変化に対応し得るように、両側の各送りロール２及びロール５等の間隔を調整可能に設けてもよい。
又、両側の各送りロール２及びロール５等の軸３，４は、垂直にする場合に限らず、水平又は傾斜させて設けるようにしてもよい。
更に、分離された厚紙Ｗ2 に付着した石膏屑が微少の場合には、スクレーパー１２や厚紙ガイド１４を設けなくてもよく、かつ、石膏ボードの端材又は廃材Ｗが短い場合には、複数対の送りロール２を設けなくてもよい。
【００１１】
【発明の効果】
以上説明したように、本発明の第１の石膏ボードからの石膏回収装置によれば、石膏ボードの端材又は廃材からの石膏の回収を容易かつ効果的に行うことができる。
又、第２の石膏ボードからの石膏回収装置によれば、第１の装置による作用効果をより一層高めることができる。
【図面の簡単な説明】
【図１】本発明に係る石膏ボードからの石膏回収装置の実施の形態の一例を示す側面図である。
【図２】図１の石膏回収装置の平面図である。
【図３】本発明に係る石膏ボードからの石膏回収装置の実施の形態の他の例を示す要部の平面図である。
【符号の説明】
１    機枠
２    送りロール
４    スプロケット
５    ロール
７    スプロケット
８    スプロケット
１０    モータ
１１    チェーン
１２    スクレーパ
１４    厚紙ガイド
Ｗ    石膏ボードの端材又は廃材
Ｗ1     石膏
Ｗ2     厚紙
【図１】
0003543264.tif 000002
【図２】
0003543264.tif 000003
【図３】
0003543264.tif 000004